(57)【特許請求の範囲】
【請求項１】
前面板３０と左右の側面板４０・６０と後面板５０と底面板群７０・７０・７０・７０などとを、それぞれ折り目線を介して連設して、上方を開放した直方体状に製箱した紙箱本体と、蓋面板２０と蓋面板２０の後部をヒンジ部を構成する谷折り線ａで区画した上面板２１と左右の側面接続片２２・２２と前面蓋板３２と左右の側面蓋板４２・６２などとを、それぞれ折り目線を介して連設して、下方を開放した偏平直方体状に製箱した紙箱蓋体とを、紙箱本体の左右の側面板４０・６０の後上部表面に、紙箱蓋体の左右の側面接続片２２・２２の裏面をそれぞれ貼着して接続したヒンジ開閉式の紙箱において、
蓋面板２０の後部を区画した谷折り線ａの両端部に、Ｕ字状の開閉繋止突起１１・１１をそれぞれ設け、紙箱蓋体を完全に開蓋したときに前記開閉繋止突起１１・１１が左右の側面板４０・６０の上端辺を押えて、紙箱蓋体の開放状態をそのまま保持できることを特徴とするヒンジ開閉式の紙箱。
【請求項２】
前面板３０と左右の側面板４０・６０と後面板５０と底面板群７０・７０・７０・７０などとを、それぞれ折り目線を介して連設して、上方を開放した直方体状に製箱した紙箱本体と、蓋面板２０と蓋面板２０の後部をヒンジ部を構成する谷折り線ａで区画した上面板２１と左右の側面接続片２２・２２と前面蓋板３２と左右の側面蓋板４２・６２と後面上板５２などとを、それぞれ折り目線を介して連設して、下方を開放した偏平直方体状に製箱した紙箱蓋体とを、紙箱本体の左右の側面板４０・６０の後上部表面に、紙箱蓋体の左右の側面接続片２２・２２の裏面をそれぞれ貼着して接続したヒンジ開閉式の紙箱において、
蓋面板２０の後部を区画した谷折り線ａの両端部に、Ｕ字状の開閉繋止突起１１・１１をそれぞれ設け、紙箱蓋体を完全に開蓋したときに前記開閉繋止突起１１・１１が左右の側面板４０・６０の上端辺を押えて、紙箱蓋体の開放状態をそのまま保持できることを特徴とするヒンジ開閉式の紙箱。
【請求項３】
前記の紙箱蓋体の前面蓋板３２と左右の側面蓋板４２・６２との下辺に、折込み片３３・４３・６３をそれぞれ折り目線を介して連設して、これらの折込み片３３・４３・６３を前面蓋板３２と左右の側面蓋板４２・６２との内面側にそれぞれ折込んで貼着するなどしたことを特徴とする、請求項１又は２に記載のヒンジ開閉式の紙箱。
【発明の詳細な説明】
【０００１】
【発明の属する技術分野】
本発明は、粒状菓子類や顆粒状飲料や粉末洗剤などを収容する、上方を開放した直方体状に製箱した紙箱本体と、下方を開放した偏平直方体状に製箱した紙箱蓋体とを、紙箱本体の左右の側面板の後上部表面に、紙箱蓋体の左右の側面接続片の裏面をそれぞれ貼着して接続したヒンジ開閉式の紙箱の改良に関する。
【０００２】
【従来の技術】
従来から、粒状菓子類や顆粒状飲料や粉末洗剤などを収容する、図４に示すような、前面板３０と左右の側面板４０・６０と後面板５０と底面板群７０・７０・７０・７０などとを、それぞれ折り目線を介して連設して、上方を開放した直方体状に製箱した紙箱本体と、蓋面板２０と蓋面板２０の後部を谷折り線ａで区画した上面板２１と左右の側面接続片２２・２２と前面蓋板３２と左右の側面蓋板４２・６２と後面上板５２などとを、それぞれ折り目線を介して連設して、下方を開放した偏平直方体状に製箱した紙箱蓋体とを、紙箱本体の左右の側面板４０・６０の後上部表面に、紙箱蓋体の左右の側面接続片２２・２２の裏面をそれぞれ貼着して接続した、ヒンジ開閉式の紙箱が一般に用いられている。
【０００３】
また従来から、特に小型濃縮洗剤と通称される粉末洗剤などを収容する、図５に示すような、下方を開放した偏平直方体状のプラスチック製の蓋面体８０と、封緘紙を貼着した長方形枠状のプラスチック製の枠状体８１と、適宜の前面板３０と左右の側面板４０・６０と後面板５０と底面板７０などとを連設した、上方を開放した直方体状の板紙製の容器本体８２とを、このプラスチック製の蓋面体８０とプラスチック製の枠状体８１とをヒンジ構造８３・８３を介して一体成形して、またプラスチック製の枠状体８１と板紙製の容器本体８２の上端部とを強固に接着した、ヒンジ開閉式の包装容器が広く用いられている。
【０００４】
【発明が解決しようとする課題】
ところが従来の、図４に示すヒンジ開閉式の紙箱については、紙箱蓋体の蓋面板２０の後部を区画した谷折り線ａを介してのヒンジ構造であるために、この谷折り線ａの元に戻ろうとする反発力が問題であって、紙箱蓋体を開蓋した時に、谷折りしていない谷折り線ａの元に戻ろうとする反発力によって、紙箱蓋体の開放状態をそのまま保持できないことが多くて、また紙箱蓋体を閉蓋した時に、一旦谷折りした谷折り線ａの元に戻ろうとする反発力によって、紙箱蓋体の閉止状態をそのまま保持できないことが多くて、決して使い易いヒンジ開閉式の紙箱ではなかった。
【０００５】
また従来の、図５に示すヒンジ開閉式の包装容器については、開蓋や閉蓋などが容易で確実な、体裁が良くて使い易い包装容器であるものの、プラスチック製の蓋面体８０とプラスチック製の枠状体８１と板紙製の容器本体８２とから成るヒンジ開閉式の包装容器であるために、作製工程・費用などに問題があって、また使用後のプラスチック材料の廃棄処理にも問題があった。
【０００６】
そこで本発明の目的とするところは、粒状菓子類や顆粒状飲料や粉末洗剤などを収容する、作製工程・費用などが廉価で使用後の廃棄処理にも問題がない板紙製の、開蓋や閉蓋などが容易で確実な、体裁が良くて使い易いヒンジ開閉式の紙箱を提供することにある。
【０００７】
【課題を解決するための手段】
本発明のヒンジ開閉式の紙箱は、図１・図２・図３に示すように、前面板３０と左右の側面板４０・６０と後面板５０と底面板群７０・７０・７０・７０などとを、それぞれ折り目線（符号がない１点鎖線；以下同じ）を介して連設して、上方を開放した直方体状に製箱した紙箱本体と、蓋面板２０と蓋面板２０の後部を谷折り線ａで区画した上面板２１と左右の側面接続片２２・２２と前面蓋板３２と左右の側面蓋板４２・６２と後面上板５２などとを、それぞれ折り目線を介して連設して、下方を開放した偏平直方体状に製箱した紙箱蓋体とを、紙箱本体の左右の側面板４０・６０の後上部表面に、紙箱蓋体の左右の側面接続片２２・２２の裏面をそれぞれ貼着して接続したヒンジ開閉式の紙箱において、蓋面板２０の後部を区画した谷折り線ａの両端部に、深さが１ｍｍ程度のＵ字状（図２Ａ・図２Ｂでは逆Ｕ字状）の開閉繋止突起１１・１１をそれぞれ設けたヒンジ開閉式の紙箱である。
【０００８】
また、本発明のヒンジ開閉式の紙箱は、図２Ｂに示すように、前記の蓋面板２０の後部を区画した谷折り線ａの中央部に、適宜の切れ目線ｂを設けたヒンジ開閉式の紙箱である。
【０００９】
加えて、本発明のヒンジ開閉式の紙箱は、図２Ｃに示すように、前記の紙箱本体の前面板３０と左右の側面板４０・６０と後面板５０との上辺に、折込み片３１・４１・６１・５１をそれぞれ折り目線を介して連設して、これらの折込み片３１・４１・６１・５１を前面板３０と左右の側面板４０・６０と後面板５０との内面側にそれぞれ折込んで貼着したヒンジ開閉式の紙箱である。
【００１０】
また加えて、本発明のヒンジ開閉式の紙箱は、図２Ｂに示すように、前記の紙箱蓋体の前面蓋板３２と左右の側面蓋板４２・６２との下辺に、折込み片３３・４３・６３をそれぞれ折り目線を介して連設して、これらの折込み片３３・４３・６３を前面蓋板３２と左右の側面蓋板４２・６２との内面側にそれぞれ折込んで貼着するなどしたヒンジ開閉式の紙箱である。
【００１１】
【作用】
本発明のヒンジ開閉式の紙箱においては、前述した従来と同様の、上方を開放した直方体状に製箱した紙箱本体と、下方を開放した偏平直方体状に製箱した紙箱蓋体とを、紙箱本体の左右の側面板４０・６０の後上部表面に、紙箱蓋体の左右の側面接続片２２・２２の裏面をそれぞれ貼着して接続したヒンジ開閉式の紙箱において、蓋面板２０の後部を区画した谷折り線ａの両端部に、深さが１ｍｍ程度のＵ字状の開閉繋止突起１１・１１をそれぞれ設けたことによって、図３Ａ・図３Ｂに示すように、紙箱蓋体の蓋面板２０の後部を区画した谷折り線ａを介してのヒンジ構造において、この谷折り線ａの元に戻ろうとする反発力があっても、深さが１ｍｍ程度のＵ字状の開閉繋止突起１１・１１が左右の側面板４０・６０の上端辺を押えて、紙箱蓋体を繋止して板バネのように作用するものであって、紙箱蓋体を完全に開蓋した時に、開閉繋止突起１１・１１が開蓋方向に作用して、紙箱蓋体の開放状態をそのまま保持できるものであって、また紙箱蓋体を再び閉蓋した時に、開閉繋止突起１１・１１が閉蓋方向に作用して、紙箱蓋体の閉止状態をそのまま保持できるものであって、開蓋や閉蓋などが容易で確実な、使い易いヒンジ開閉式の紙箱を提供することができる。
【００１２】
なお、本発明のヒンジ開閉式の紙箱における、Ｕ字状の開閉繋止突起１１・１１の深さについては、１ｍｍ程度が適切であって、紙箱蓋体を開蓋・閉蓋する時に、深さが０．５ｍｍ以下であると、開閉繋止突起１１・１１が左右の側面板４０・６０の上端辺に届かない恐れがあって、また深さが１．５ｍｍ以上であると、開閉繋止突起１１・１１が左右の側面板４０・６０の上端辺に押されて曲ってしまう恐れがあって、またＵ字状の開閉繋止突起１１・１１の幅については、左右の側面板４０・６０の上端辺を押えるために、２〜４ｍｍ程度が適切である。
【００１３】
また、本発明のヒンジ開閉式の紙箱においては、前記の蓋面板２０の後部を区画した谷折り線ａの中央部に、適宜の切れ目線ｂを設けたことによって、前述した谷折り線ａを介してのヒンジ構造において、この谷折り線ａの元に戻ろうとする反発力を弱めたものであって、さらに開蓋や閉蓋などが容易で確実な、使い易いヒンジ開閉式の紙箱を提供することができる。
【００１４】
加えて、本発明のヒンジ開閉式の紙箱においては、前記の紙箱本体の前面板３０と左右の側面板４０・６０と後面板５０との上辺に、折込み片３１・４１・６１・５１をそれぞれ折り目線を介して連設して、これらの折込み片３１・４１・６１・５１を前面板３０と左右の側面板４０・６０と後面板５０との内面側にそれぞれ折込んで貼着したことによって、図３Ａ・図３Ｂに示すように、上方を開放した直方体状に製箱した紙箱本体の、前面板３０と左右の側面板４０・６０と後面板５０との上部を二重にして強化したものであって、紙箱本体の保形性などが優れた、使い易いヒンジ開閉式の紙箱を提供することができる。
【００１５】
また加えて、本発明のヒンジ開閉式の紙箱においては、前記の紙箱蓋体の前面蓋板３２と左右の側面蓋板４２・６２との下辺に、折込み片３３・４３・６３をそれぞれ折り目線を介して連設して、これらの折込み片３３・４３・６３を前面蓋板３２と左右の側面蓋板４２・６２との内面側にそれぞれ折込んで貼着するなどしたことによって、図３Ａ・図３Ｂに示すように、下方を開放した偏平直方体状に製箱した紙箱蓋体の、前面蓋板３２と左右の側面蓋板４２・６２とを二重にして強化したものであって、紙箱蓋体の保形性などが優れた、使い易いヒンジ開閉式の紙箱を提供することができる。
【００１６】
【発明の実施の形態】
本発明のヒンジ開閉式の紙箱においては、後述する実施例に示すように、通常の印刷をした適宜のコートボール紙などの板紙を用いて、打抜型を用いた通常の打抜工程で、無駄がない長方形状の紙箱本体のブランクと紙箱蓋体のブランクとを作製して、次に従来の機械的な製箱工程で、上方を開放した直方体状に製箱した紙箱本体と下方を開放した偏平直方体状に製箱した紙箱蓋体とを作製して、続いて従来と同様の機械的な充填工程で、内容物を収容した後に、同時に紙箱本体の左右の側面板４０・６０の後上部表面に、紙箱蓋体の左右の側面接続片２２・２２の裏面をそれぞれ貼着して接続できる、作製工程・費用などが廉価であって、使用後の廃棄処理にも問題がない板紙製のヒンジ開閉式の紙箱を提供することができる。
【００１７】
【実施例】
＜実施例１＞
図１は、本発明の実施例１における、ヒンジ開閉式の紙箱の斜視図である。
また図２Ａは、実施例１のヒンジ開閉式の紙箱における、紙箱蓋体のブランクの平面図であって、図２Ｃは、紙箱本体のブランクの平面図である。
【００１８】
すなわち、前面板３０と左右の側面板４０・６０と後面板５０と糊代片６５と貼着式の底面板群７０・７０・７０・７０とを、それぞれ折り目線を介して連設して、この前面板３０と左右の側面板４０・６０と後面板５０との上辺に、折込み片３１・４１・６１・５１をそれぞれ折り目線を介して連設した、図２Ｃに示す紙箱本体のブランクであって、また蓋面板２０と蓋面板２０の後部を谷折り線ａで区画した上面板２１と左右の側面接続片２２・２２と前面蓋板３２と製箱片３５・３５と左右の側面蓋板４２・６２と後面上板５２と製箱片５５・５５とを、それぞれ折り目線を介して連設して、蓋面板２０の後部を区画した谷折り線ａの両端部に、深さが１ｍｍで幅が３ｍｍのＵ字状（図２Ａでは逆Ｕ字状）の開閉繋止突起１１・１１をそれぞれ設けた、図２Ａに示す紙箱蓋体のブランクであって、中間層に３０μｍのポリエチレン層を積層した４５０ｇ／ｍ2 のコートボール紙（ポリサンド紙；大昭和製紙株式会社製）を用いて、表面側に通常の印刷をして、打抜型を用いた通常の打抜工程で、実施例１のヒンジ開閉式の紙箱における、紙箱本体のブランクと紙箱蓋体のブランクとを作製した。
【００１９】
次に、図２Ｃに示す紙箱本体のブランクの、全ての符号がない１点鎖線で示す折り目線を山折り（印刷をした表面側が山になる；以下同じ）して、従来の機械的な製箱工程で、まず糊代片６５を後面板５０に貼着して、また貼着式の底面板群７０・７０・７０・７０をそれぞれ貼着して、さらに折込み片３１・４１・６１・５１を前面板３０と左右の側面板４０・６０と後面板５０との内面側にそれぞれ折込んで貼着して、縦・横・高さが１３５×７８×９６ｍｍの、上方を開放した直方体状に製箱した紙箱本体を作製した。
【００２０】
また、図２Ａに示す紙箱蓋体のブランクの、全ての符号がない１点鎖線で示す折り目線を山折りして、同様に従来の機械的な製箱工程で、製箱片３５・３５を左右の側面蓋板４２・６２にそれぞれ貼着して、また製箱片５５・５５を左右の側面接続片２２・２２にそれぞれ貼着して、縦・横・高さが１３７×８０×２０ｍｍの、下方を開放した偏平直方体状に製箱した紙箱蓋体を作製した。
【００２１】
続いて、従来と同様の機械的な充填工程で、上方を開放した直方体状に製箱した紙箱本体に、内容物である小型濃縮洗剤を収容して、防湿性を有する図示しない封緘紙を貼着するなどした後に、下方を開放した偏平直方体状に製箱した紙箱蓋体を被せながら、紙箱本体の左右の側面板４０・６０の後上部表面に、紙箱蓋体の予め感熱接着剤を塗布した左右の側面接続片２２・２２の裏面をそれぞれ熱圧着して強固に接続して、本発明の実施例１における、図１に示すヒンジ開閉式の紙箱を作製した。
【００２２】
本実施例の、図１に示すヒンジ開閉式の紙箱において、後述する図３Ｂに示すように、紙箱蓋体を持上げて完全に開蓋したところ、深さが１ｍｍのＵ字状の開閉繋止突起１１・１１が左右の側面板４０・６０の上端辺を押えて、紙箱蓋体の重量だけで開放状態をそのまま保持できるものであって、また後述する図３Ａに示すように、紙箱蓋体を押えつけて再び閉蓋したところ、同様に開閉繋止突起１１・１１が左右の側面板４０・６０の上端辺を押えて、紙箱蓋体の戻りがなく閉止状態をそのまま保持できるものであって、開蓋や閉蓋などが容易で確実な、体裁が良くて使い易いヒンジ開閉式の紙箱が得られた。
【００２３】
＜実施例２＞
図２Ｂは、実施例２のヒンジ開閉式の紙箱における、紙箱蓋体のブランクの平面図であって、図２Ｃは、紙箱本体のブランクの平面図である。
また図３Ａは、実施例２のヒンジ開閉式の紙箱における、紙箱蓋体を開蓋する前と再び閉蓋した時との状態を示す断面図であって、図３Ｂは、紙箱蓋体を完全に開蓋した時の状態を示す断面図である。
【００２４】
すなわち、前面板３０と左右の側面板４０・６０と後面板５０と糊代片６５と貼着式の底面板群７０・７０・７０・７０とを、それぞれ折り目線を介して連設して、この前面板３０と左右の側面板４０・６０と後面板５０との上辺に、折込み片３１・４１・６１・５１をそれぞれ折り目線を介して連設した、実施例１と同一の、図２Ｃに示す紙箱本体のブランクであって、また蓋面板２０と蓋面板２０の後部を谷折り線ａで区画した上面板２１と左右の側面接続片２２・２２と前面蓋板３２と斜めの谷折り線ｄを有する製箱片３５・３５と左右の側面蓋板４２・６２と後面上板５２と製箱片５５・５５とを、それぞれ折り目線を介して連設して、この前面蓋板３２の下辺に、繋止突起ｅ・ｅを有する折込み片３３と蓋面内板３４とを折り目線と谷折り線ｆとを介して順に連設して、また左右の側面蓋板４２・６２の下辺（図２Ｂでは左右辺）に、繋止切欠きｇを有する折込み片４３・６３をそれぞれ折り目線を介して連設して、蓋面板２０の後部を区画した谷折り線ａの両端部と中央部とに、深さが１ｍｍで幅が３ｍｍのＵ字状（図２Ｂでは逆Ｕ字状）の開閉繋止突起１１・１１と長さが３０ｍｍの切れ目線ｂとをそれぞれ設けた、図２Ｂに示す紙箱蓋体のブランクであって、実施例１と同様に、中間層に３０μｍのポリエチレン層を積層した４５０ｇ／ｍ2 のコートボール紙（ポリサンド紙；大昭和製紙株式会社製）を用いて、表面側に通常の印刷をして、打抜型を用いた通常の打抜工程で、実施例２のヒンジ開閉式の紙箱における、紙箱本体のブランクと紙箱蓋体のブランクとを作製した。
【００２５】
次に、図２Ｃに示す紙箱本体のブランクの、全ての符号がない１点鎖線で示す折り目線を山折りして、従来の機械的な製箱工程で、まず糊代片６５を後面板５０に貼着して、また貼着式の底面板群７０・７０・７０・７０をそれぞれ貼着して、さらに折込み片３１・４１・６１・５１を前面板３０と左右の側面板４０・６０と後面板５０との内面側にそれぞれ折込んで貼着して、縦・横・高さが１３５×７８×９６ｍｍの、実施例１と同一の上方を開放した直方体状に製箱した紙箱本体を作製した。
【００２６】
また、図２Ｂに示す紙箱蓋体のブランクの、全ての符号がない１点鎖線で示す折り目線を山折りして、谷折り線ｄ・ｄと谷折り線ｆとを谷折り（印刷をした表面側が谷になる、以下同じ）して、同様に従来の機械的な製箱工程で、まず折込み片４３・６３を左右の側面蓋板４２・６２の内面側にそれぞれ折込んで貼着して、また製箱片５５・５５を左右の側面接続片２２・２２にそれぞれ貼着して、さらに折込み片３３を、谷折りした製箱片３５・３５を巻込みながら、前面蓋板３２の内面側にそれぞれ折込んで、蓋面内板３４の繋止突起ｅ・ｅを折込み片４３・６３の繋止切欠きｇ・ｇにそれぞれ繋止して、縦・横・高さが１３９×８１×２０ｍｍの、下方を開放した偏平直方体状に製箱した紙箱蓋体を作製した。
【００２７】
続いて、従来と同様の機械的な充填工程で、実施例１と同一の上方を開放した直方体状に製箱した紙箱本体に、内容物である小型濃縮洗剤を収容して、防湿性を有する図示しない封緘紙を貼着するなどした後に、実施例１と同様に、下方を開放した偏平直方体状に製箱した紙箱蓋体を被せながら、紙箱本体の左右の側面板４０・６０の後上部表面に、紙箱蓋体の予め感熱接着剤を塗布した左右の側面接続片２２・２２の裏面をそれぞれ熱圧着して強固に接続して、本発明の実施例２における、図３Ａに示すヒンジ開閉式の紙箱を作製した。
【００２８】
本実施例の、図３Ａに示すヒンジ開閉式の紙箱において、図３Ｂに示すように、紙箱蓋体を持上げて完全に開蓋したところ、深さが１ｍｍのＵ字状の開閉繋止突起１１・１１が左右の側面板４０・６０の上端辺を押えて、紙箱蓋体の重量だけで開放状態をそのまま保持できるものであって、また図３Ａに示すように、紙箱蓋体を押えつけて再び閉蓋したところ、同様に開閉繋止突起１１・１１が左右の側面板４０・６０の上端辺を押えて、紙箱蓋体の戻りがなく閉止状態をそのまま保持できるものであった。
【００２９】
すなわち、本実施例のヒンジ開閉式の紙箱においては、蓋面板２０の後部を区画した谷折り線ａの両端部に、深さが１ｍｍのＵ字状の開閉繋止突起１１・１１をそれぞれ設けたことによって、図３Ａ・図３Ｂに示すように、紙箱蓋体の蓋面板２０の後部を区画した谷折り線ａを介してのヒンジ構造において、この谷折り線ａの元に戻ろうとする反発力があっても、深さが１ｍｍのＵ字状の開閉繋止突起１１・１１が左右の側面板４０・６０の上端辺を押えて、紙箱蓋体を繋止して板バネのように作用するものであって、図３Ｂに示す紙箱蓋体を完全に開蓋した時に、開閉繋止突起１１・１１が開蓋方向に作用して、紙箱蓋体の重量だけで開放状態をそのまま保持できるものであって、また図３Ａに示す紙箱蓋体を再び閉蓋した時に、開閉繋止突起１１・１１が閉蓋方向に作用して、紙箱蓋体の戻りがなく閉止状態をそのまま保持できるものであって、開蓋や閉蓋などが容易で確実な、体裁が良くて使い易いヒンジ開閉式の紙箱が得られた。
【００３０】
また、本実施例のヒンジ開閉式の紙箱においては、前記の蓋面板２０の後部を区画した谷折り線ａの中央部に、長さが３０ｍｍの切れ目線ｂを設けたことによって、前述した谷折り線ａを介してのヒンジ構造において、この谷折り線ａの元に戻ろうとする反発力を弱めたものであって、さらに開蓋や閉蓋などが容易で確実な、体裁が良くて使い易いヒンジ開閉式の紙箱が得られた。
【００３１】
加えて、本実施例のヒンジ開閉式の紙箱においては、折込み片３１・４１・６１・５１を前面板３０と左右の側面板４０・６０と後面板５０との内面側にそれぞれ折込んで貼着したことによって、また折込み片３３・４３・６３を前面蓋板３２と左右の側面蓋板４２・６２との内面側にそれぞれ折込んで貼着するなどしたことによって、図３Ａ・図３Ｂに示すように、実施例１と同一の上方を開放した直方体状に製箱した紙箱本体の、前面板３０と左右の側面板４０・６０と後面板５０との上部を二重にして強化したものであって、また下方を開放した偏平直方体状に製箱した紙箱蓋体の、前面蓋板３２と左右の側面蓋板４２・６２とを二重にして強化したものであって、紙箱本体と紙箱蓋体との保形性などが優れた、体裁が良くて使い易いヒンジ開閉式の紙箱が得られた。
【００３２】
【発明の効果】
以上、作用及び実施例に示すとおり、本発明のヒンジ開閉式の紙箱においては、上方を開放した直方体状に製箱した紙箱本体と、下方を開放した偏平直方体状に製箱した紙箱蓋体とを、紙箱本体の左右の側面板の後上部表面に、紙箱蓋体の左右の側面接続片の裏面をそれぞれ貼着して接続したヒンジ開閉式の紙箱において、蓋面板の後部を区画した谷折り線の両端部に、深さが１ｍｍ程度のＵ字状の開閉繋止突起をそれぞれ設けたことによって、紙箱蓋体の蓋面板の後部を区画した谷折り線を介してのヒンジ構造において、この谷折り線の元に戻ろうとする反発力があっても、深さが１ｍｍ程度のＵ字状の開閉繋止突起が左右の側面板の上端辺を押えて、紙箱蓋体を繋止して板バネのように作用するものであって、紙箱蓋体を完全に開蓋した時に、紙箱蓋体の重量だけで開放状態をそのまま保持できるものであって、また紙箱蓋体を再び閉蓋した時に、紙箱蓋体の戻りがなく閉止状態をそのまま保持できるものであって、粒状菓子類や顆粒状飲料や粉末洗剤などを収容する、作製工程・費用などが廉価で使用後の廃棄処理にも問題がない板紙製の、開蓋や閉蓋などが容易で確実な、体裁が良くて使い易いヒンジ開閉式の紙箱を提供することができる。
【００３３】
また、本発明のヒンジ開閉式の紙箱においては、前記の蓋面板の後部を区画した谷折り線の中央部に、適宜の切れ目線を設けたことによって、前述した谷折り線を介してのヒンジ構造において、この谷折り線の元に戻ろうとする反発力を弱めたものであって、さらに開蓋や閉蓋などが容易で確実な、使い易いヒンジ開閉式の紙箱を提供することができる。
【図面の簡単な説明】
【図１】本発明の実施例１における、ヒンジ開閉式の紙箱の斜視図である。
【図２】図２Ａは、実施例１のヒンジ開閉式の紙箱における、紙箱蓋体のブランクの平面図であって、図２Ｂは、実施例２のヒンジ開閉式の紙箱における、紙箱蓋体のブランクの平面図であって、図２Ｃは、実施例１・実施例２のヒンジ開閉式の紙箱における、紙箱本体のブランクの平面図である。
【図３】図３Ａは、実施例２のヒンジ開閉式の紙箱における、紙箱蓋体を開蓋する前と再び閉蓋した時との状態を示す断面図であって、図３Ｂは、紙箱蓋体を完全に開蓋した時の状態を示す断面図である。
【図４】従来の、ヒンジ開閉式の紙箱の斜視図である。
【図５】従来の、ヒンジ開閉式の包装容器の斜視図である。
【符号の説明】
１１                    …開閉繋止突起
２０                    …蓋面板
２１                    …上面板
２２                    …左右の側面接続片
３０                    …前面板
３１・４１・５１・６１  …折込み片
３２                    …前面蓋板
３３・４３・６３        …折込み片
３４                    …蓋面内板
３５・５５              …製箱片
４０・６０              …左右の側面板
４２・６２              …左右の側面蓋板
５０                    …後面板
５２                    …後面上板
６５                    …糊代片
７０                    …底面板群・底面板
８０                    …プラスチック製の蓋面体
８１                    …プラスチック製の枠状体
８２                    …板紙製の容器本体
８３                    …ヒンジ構造
ａ・ｄ・ｆ              …谷折り線
ｂ                      …切れ目線
ｅ                      …繋止突起
ｇ                      …繋止切欠き
【図１】
0003724042.tif 000002
【図２】
0003724042.tif 000003
【図３】
0003724042.tif 000004
【図４】
0003724042.tif 000005
【図５】
0003724042.tif 000006